(57)【要約】【課題】身体等のあらゆる洗浄物を洗浄する際、湾曲面や手の届きにくい箇所まで容易かつ効率的に洗浄することができ、さらに、手軽で安全に洗浄することが可能な洗浄用ブラシを提供を図る。【解決手段】洗浄用ブラシであって、一端にブラシ部を備えた軸棒と、該軸棒の他端が把持された把手部とからなり、該軸棒を把手部から長手方向に伸縮自在とした構成を採用する。また、ブラシ部において、先端が高く後端が低くなるようにブラシ毛の長さを変えることで、ブラシ面に傾斜を設けた構成を採ることもでき、さらには、ブラシ部と軸棒との間に自在継手を設けることで、ブラシ面が洗浄面に沿って常に平行になる構成とすることも可能である。【選択図】図１
2006305308.tif 000002
【特許請求の範囲】
【請求項１】
洗浄用ブラシであって、一端にブラシ部を備えた軸棒と、該軸棒の他端が把持された把手部とからなり、該軸棒を把手部から長手方向に伸縮自在としたことを特徴とする洗浄用ブラシ。
【請求項２】
前記ブラシ部において、先端を頂点として所定の中間位置まで傾斜を設けるととともに、該中間位置から後端まで略一定となるようにブラシ毛の長さを変えたことを特徴とする請求項１に記載の洗浄用ブラシ。
【請求項３】
前記ブラシ部において、先端を頂点として後端まで緩やかな曲面傾斜が設けられるようにブラシ毛の長さを変えたことを特徴とする請求項１に記載の洗浄用ブラシ。
【請求項４】
前記ブラシ部と軸棒との間に自在継手を設けることで、ブラシ面が洗浄面に沿って常に平行になることを特徴とする請求項１から請求項３のいずれかに記載の洗浄用ブラシ。
【請求項５】
前記洗浄用ブラシが、入浴時に身体を洗浄するための身体洗浄用ブラシであることを特徴とする請求項１から請求項４のいずれかに記載の洗浄用ブラシ。
【請求項６】
前記洗浄用ブラシが、洗車時に車体を洗浄するための洗車用ブラシであることを特徴とする請求項１から請求項４のいずれかに記載の洗浄用ブラシ。
【請求項７】
前記洗浄用ブラシが、清掃時に床面等を洗浄するための清掃用ブラシであることを特徴とする請求項１から請求項４のいずれかに記載の洗浄用ブラシ。
【発明の詳細な説明】
【技術分野】
【０００１】
本発明は、洗浄用ブラシに関し、詳しくは、目的洗浄物の洗浄面の形状が湾曲している場合や手の届きにくい場所等において、作業者が洗い易い箇所・洗いにくい箇所を問わず、いずれも容易に洗浄可能な洗浄用ブラシに関するものである。
【背景技術】
【０００２】
入浴時に体を洗う場合、洗車の際、あるいは床面清掃の際、それぞれの洗浄目的物に応じて、ブラシ素材やスポンジ形状に工夫したものが存在する。たとえば、背中を洗浄し易いように軸棒が先端に向けて湾曲したもの、車高が高い車の屋根を洗浄し易いように軸棒が長いもの、力が入りやすいように軸棒がブラシ本体に取り付けられたもの、隙間の狭い部分や凹凸面にそれぞれ対応する床面洗浄用ブラシやスポンジ等である。これらは、手の届かない部分や、力の入りにくい部分を洗浄し易くするために工夫されたものである。
【０００３】
しかし、実際には、ブラシやスポンジ面の一部しか接触しないため、力を入れても、応力が一部に集中しまうので効率よく洗浄することができない。特にブラシの場合は、応力が一部に集中してしまうと毛先が屈曲してしまい、ブラシ毛先端が洗浄物の凹部に入り込まなくなってしまうため、洗浄ブラシが本来有する洗浄力を発揮し得ない。さらに、従来品は軸棒が固定されているので、高齢者や間接などに障害を持つ人にとっては、背中全面を洗うことができないこともあり、他人に洗ってもらわなければならない場合も生じ得る。さらにまた、近年の自動車のデザインは斬新な曲面形状を取り入れており、特にワゴン車やＲＶ系自動車は車高が高いため、洗浄者の体格によっては屋根全体を洗浄することが困難となる場合も多い。またさらに、曲面形状をした床面や壁面、複雑な形状をした立体的な造形物の清掃の際にも同様の問題が生じており、これらの従来品によっては前記問題点を解決するには至っていない。
【０００４】
尚、洗浄力をより効果的に発揮するように、モーター等を用いてブラシに振動や回転を与えるものや、水道の水圧を利用する洗浄ブラシも存在するが、これらは、構造が複雑で重くなったり、電源を用いることによる危険性も存在し、ホース接続準備等が煩雑化するなどの欠点を有するため、洗浄作業を行う者に負担を強いるという欠点を有する。
【０００５】
【特許文献１】特開２００４−２６７７２７号公報
【特許文献２】実開平２−４７９２０号公報
【特許文献３】実開昭６４−３２６９４号公報
【特許文献４】実用新案登録第３００７８８３号公報
【発明の開示】
【発明が解決しようとする課題】
【０００６】
そこで、上記問題点に鑑み、本発明は、身体等のあらゆる洗浄物を洗浄する際、湾曲面や手の届きにくい箇所まで容易かつ効率的に洗浄することができ、さらに、手軽で安全に洗浄することが可能な洗浄用ブラシを提供することを目的とする。
【課題を解決するための手段】
【０００７】
前記目的を達成するため、本発明は、一端にブラシ部を備えた軸棒と、該軸棒の他端が把持された把手部とからなり、該軸棒を把手部から長手方向に伸縮自在とした構成となっている。
【０００８】
また、本発明は、前記ブラシ部において、先端を頂点として所定の中間位置まで傾斜を設けるととともに、該中間位置から後端まで略一定となるようにブラシ毛の長さを変えた構成とすることもできる。
【０００９】
さらに、本発明は、前記ブラシ部において、先端を頂点として後端まで緩やかな曲面傾斜が設けられるようにブラシ毛の長さを変えた構成にすることができる。
【００１０】
またさらに、前記ブラシ部と軸棒との間に自在継手を設けることで、ブラシ面が洗浄面に沿って常に平行になる構成とすることもできる。
【００１１】
さらにまた、本発明は、前記洗浄用ブラシが、入浴時に身体を洗浄するための身体洗浄用ブラシである構成を採用することもできる。
【００１２】
そして、前記洗浄用ブラシが、入浴時に身体を洗浄するための身体洗浄用ブラシである構成を採用することもできる。
【００１３】
そしてまた、前記洗浄用ブラシが、洗車時に車体を洗浄するための洗車用ブラシである構成を採用することもできる。
【００１４】
そしてさらに、前記洗浄用ブラシが、清掃時に床面等を洗浄するための清掃用ブラシである構成を採用することもできる。
【発明の効果】
【００１５】
本発明にかかる浄用ブラシによれば、一端にブラシ部を備えた軸棒が把手部から長手方向に伸縮自在となっているため、身体洗浄の際の手足・洗車の際のドア部・床面清掃の際の等の洗い易い箇所は短いブラシとして使用し、背中・自動車の屋根・高い位置の壁等の洗いにくい箇所を洗浄する際には長いブラシとして使用することで、一のブラシであらゆる箇所を容易に洗浄することが可能となり、利便性が格段に向上する。
【００１６】
また、本発明にかかる洗浄用ブラシによれば、前記ブラシ部において、先端を頂点として所定の中間位置まで傾斜を設けるととともに、該中間位置から後端まで一定となるようにブラシ毛の長さを変えたこと、または、先端を頂点として後端まで緩やかな曲面傾斜が設けられるようにブラシ毛の長さを変えた構成とすることで、背中や湾曲面等を洗浄する場合に、把手部を握った手の位置がやや前方のままでもブラシ面が背中面等へフィットすることとなるため、非常に楽に背中等を洗浄することが可能となる。
【００１７】
またさらに、本発明にかかる洗浄用ブラシによれば、自在継手によってブラシ部が常に洗浄面と平行となるので、軸棒をスライドさせるだけで、曲部や凸部に応じてブラシ部が自由に首振り追従することが可能となり、部分的にのみにしか接触しなかった従来品に比べて洗浄効果が高くなるという効果を奏する。
【発明を実施するための最良の形態】
【００１８】
本発明にかかる洗浄用ブラシは、一端にブラシ部２を備えた軸棒３を把手部４から長手方向に伸縮自在としたこと、並びに、該ブラシ部２において先端が高くなるようにブラシ毛２ａの長さを変えることでブラシ面２ｂに傾斜を設けたこと、さらには、ブラシ部２と軸棒３との間に自在継手６を設けたことを最大の特徴とする。以下、本発明にかかる洗浄用ブラシの実施形態を、図面に基づいて説明する。
【００１９】
図１及び図２は、本発明にかかる洗浄用ブラシを身体洗浄用ブラシ１として使用する場合の実施形態を示す斜視図であり、図１は該身体洗浄用ブラシ１を伸ばした状態、図２は該身体洗浄用ブラシ１を縮めた状態を示している。該身体洗浄用ブラシ１は、一端にブラシ部２を備えた軸棒３と、該軸棒３の他端が把持された把手部４とから構成されている。
【００２０】
ブラシ部２の材質については、身体洗浄用として使用する場合には、皮膚への影響を考慮して、従来から使用されている馬毛や豚毛等の動物繊維やパームやシダ等の食物繊維の人体に影響のない素材を用いることが考えられ、自動車Cや床面Ｆ等に用いる場合には、ポリエルテル等の種々の化学繊維も考えられる。すなわち、目的洗浄物に応じた腰の強さや耐摩耗性等を考慮すればよく、特に限定するものではない。
【００２１】
また、人間の背中Ｈ１や自動車Cの車体は平面状でなく略曲面状となっているため、広いブラシ面とすると、ブラシの一部分しか接触しないこととなってしまう。そこで、本発明は、ブラシ部２の形状について、ブラシ毛２ａの先端を頂点として所定の中間位置まで傾斜を設けるととともに、該中間位置からブラシ毛２ａの後端まで略一定となるようにブラシ毛２ａの長さを変えたり、ブラシ毛２ａの先端を頂点としてブラシ毛２ａの後端まで緩やかな曲面傾斜が設けられるようにブラシ毛２ａの長さを変えることが望ましい。すなわち、ブラシ毛２ａの先端長さαを最も長くするとともに、ブラシ毛２ａの後端長さβを最も短くする構成である。かかる構成とすることにより、例えば背中を洗浄する際、腕Ｈ２を大きく後方まで位置させる必要がなくなり、ブラシ面２ｂが背中Ｈ１の洗浄したい面に広く接触し、従来では力の入りにくかった位置であっても、背中Ｈ１の隅々まで高い洗浄効果を奏することが可能となる。また、ブラシ毛２ａの長さが異なると、先端付近と後端付近のブラシ毛２ａの弾性が異なることとなって、毛先の接触状態が部分的に異なることとなってしまうため、例えば、ブラシ毛２ａの先端付近の太さを後端付近よりやや太くする等の工夫をすることが望ましい。
【００２２】
尚、前記ブラシ毛２ａの先端長さαを頂点としてブラシ毛２ａの後端長さβまで緩やかな曲面傾斜が設けられるようにブラシ毛２ａの長さを変える構成とした場合の実施例について、図５に示している。また、その他の図は全て、前記ブラシ毛２ａの先端を頂点として所定の中間位置まで傾斜を設けるととともに、該中間位置からブラシ毛２ａの後端まで略一定となるようにブラシ毛２ａの長さを変える構成を採用した場合を示している。
【００２３】
図３及び図４は、本発明にかかる洗浄用ブラシを身体洗浄用ブラシ１として使用する場合の実施形態を示す側面図であり、図３は該身体洗浄用ブラシ１を伸ばした状態、図４は該身体洗浄用ブラシ１を縮めた状態を示している。軸棒３は、把手部４から開口部４ａを介して長手方向に伸縮自在となるように、該把手部４へ取り付けられている固定具５によって任意の位置に固定される。かかる機構は、例えば、把手４に備えた締付用ネジで外部から固定したり、軸棒３に多数の凹溝を設け、該凹部に嵌合する凸部により固定する方法、または、テーパーねじ及び該テ−パーねじに対するナットを把手４の開口部４ａに装備して軸棒３を固定する方法等、種々の方法が考えられる。該構成を採用することにより、手足等の洗いやすい箇所はブラシ１全体を短くして使用し、背中等の洗いにくい箇所はブラシ１全体を長くして使用することで、一のブラシで身体のあらゆる箇所を容易に洗浄することが可能となり、これは、自動車Cの屋根や高い壁の洗浄の際にも効果を発揮する。
【００２４】
また、軸棒３については、ブラシ部２との間に自在継手６を有することにより、洗浄対象物に対して常にブラシ面全体が接触して均等に力が加わる構成とすることもできる。具体的には、自在継手６に、カールバネ、コイルスプリングまたはゴム等の弾性素材等を用い、未使用時にはブラシ部２が軸棒３に対して所定の角度を有する状態となるが、変形後は該状態に復帰する弾性力を与えるものであればよい。該自在継手６を用いることにより、ブラシ面２ｂを洗浄部Ｈ１に押し付けることによってブラシ面２ｂが洗浄面Ｈ１と常に平行となり、軸棒３を洗浄面に対して平行にスライドさせても、曲部や凸部に応じてブラシ部２の取付角度が自由に首振り変化して追従することとなって、従来品に比べ洗浄効果が高い。
【００２５】
また同様に、ブラシ部２の動作については、該首振り角のみならず、該自在継手６を用いることによって、ブラシ毛２ａの取付水平面に対する軸棒３の軸回転方向、及び軸棒３の取付け部からブラシ部２の先端の円周方向に対しても首振り角を有する構造とすることも有効である。かかる構造を採用すれば、前記追従性が更に向上するからである。尚、軸棒３の素材は樹脂製や木製等が考えられるが、本発明の構造上支障がなければ特に限定するものではない。
【００２６】
把手部４については、軸棒３を挿入するための中空状であって、握りやすい太さ及び形状とし、一端に開口部及び軸棒３の伸縮を自在にするための前記固定具５を設け、他端は軸棒３が突き当たるように閉口され又は水抜孔を設けた構成となっている。尚、図面では該把手部４の形状を円筒状とした場合を示しているが、かかる形状に限定するものではなく、スベリ止めを考慮して多角筒状等とすることも考えられ、また、該把手部４の表面に複数の突起や溝を設けるなどのスベリ止め加工を施すことも考え得る。把手部４の素材についても特に限定するものではなく、例えば、軸棒３と同様に木製や樹脂製等が考えられる。
【００２７】
図６は、本発明にかかる洗浄用ブラシを身体洗浄用ブラシ１として使用する場合の使用状態を示す説明図である。従来品であれば、腕Ｈ２を垂直近くまで後ろにしなければ十分な洗浄ができなかったが、本発明によれば、把手部４を握った手の位置がやや前方のままでブラシ面２ｂが背中面へフィットすることとなるため、非常に楽に背中Ｈ１を洗浄することが可能となることを示している。
【００２８】
図７は、本発明にかかる洗浄用ブラシを床面Ｆ等の清掃用ブラシ７として使用する場合の実施形態を示す斜視図である。前記、身体洗浄用ブラシ１と対比するとブラシ部２の縦横長さが異なるものの、ブラシ形状・伸縮構造・自在継手・把手部については、前記身体洗浄用ブラシ１と同様である。
【００２９】
図８は、本発明にかかる洗浄用ブラシを床面Ｆ等の清掃用ブラシ７として使用する場合の使用状態を示す斜視図であり、洗浄者Hの体格に合わせて使用しやすくなることを示している。また、洗浄面が離れているような場合や、壁の高所部であっても、軸棒を伸縮させることにより、一つの洗浄用ブラシで洗浄可能となることを示している。
【００３０】
図９は、本発明にかかる洗浄用ブラシを自動車洗浄用ブラシ８として使用する場合の実施形態を示す斜視図である。ブラシ形状・伸縮構造・自在継手・把手部については、前記身体洗浄用ブラシ１と同様である。近年の自動車Ｃは、車体剛性とデザイン面から、曲面形状ルーフが多く採用されており、特にワゴン車やＲＶ車のように、車高の高い自動車Ｃを洗浄する際には手が届かない場合や、手が届いても力が入りにくい場合が多いが、本発明によれば、効率的に洗浄可能となることを示している。
【図面の簡単な説明】
【００３１】
【図１】本発明にかかる身体洗浄用ブラシを示す斜視図である。
【図２】本発明にかかる身体洗浄用ブラシを示す斜視図である。
【図３】本発明にかかる身体洗浄用ブラシを示す側面図である。
【図４】本発明にかかる身体洗浄用ブラシを示す側面図である。
【図５】本発明にかかる身体洗浄用ブラシのブラシ部の一実施例を示す拡大側面図である。
【図６】本発明にかかる身体洗浄用ブラシの使用状態を示す説明図である。
【図７】本発明にかかる清掃用ブラシの使用状態を示す斜視図である。
【図８】本発明にかかる清掃用ブラシの使用状態を示す説明である。
【図９】本発明にかかる自動車洗浄用ブラシの使用状態を示す説明図である。
【符号の説明】
【００３２】
１    身体洗浄用ブラシ
２    ブラシ部
２ａ  ブラシ毛
２ｂ  ブラシ面
３    軸棒
４    把手部
５    固定具
６    自在継手
７    清掃用ブラシ
８    自動車洗浄用ブラシ
H    洗浄者
Ｈ１  背中
Ｈ２  腕
C    自動車
Ｆ    床面
【図１】
2006305308.tif 000003
【図２】
2006305308.tif 000004
【図３】
2006305308.tif 000005
【図４】
2006305308.tif 000006
【図５】
2006305308.tif 000007
【図６】
2006305308.tif 000008
【図７】
2006305308.tif 000009
【図８】
2006305308.tif 000010
【図９】
2006305308.tif 000011